(57)【要約】【課題】ランニングコストの低減を図ることができるとともに、省エネルギーを図りつつ、液体を迅速に目標温度にする。【解決手段】タンク３１内の液体を加熱して目標温度となるように制御する制御装置６０が設けられた液体温度調整装置３０において、制御装置６０は、目標温度が、予め設定された第１の閾値未満であり、且つ目標温度と温度調整前の液体温度との温度差が予め設定された第2の閾値未満の場合には、低液温過小負荷状態であると判断し、目標温度が、予め設定された第1の閾値未満であり、且つ目標温度と温度調整前の液体温度との温度差が予め設定された第2の閾値以上の場合には、低液温高負荷状態であると判断し、目標温度が、予め設定された第１の閾値以上の場合には、高液温状態であると判断し、低液温過小負荷状態の場合と、低液温高負荷状態の場合と、高液温状態とではそれぞれ異なる制御方法を実行する。【選択図】図１
2010096394.tif 000002
【特許請求の範囲】
【請求項１】
タンク内の液体を加熱して目標温度となるように制御する制御装置が設けられた液体温度調整装置において、
熱媒体を圧縮する圧縮機、熱媒体を液体に凝縮させる凝縮器、熱媒体を低圧化させる膨張器および熱媒体を気化させる蒸発器が、内部を熱媒体が流通する流通管によって接続されてなる温度調整回路が設けられ、
前記温度調整回路の熱媒体の流通方向を逆転させる四方弁が設けられ、
前記流通管の一部が、タンクの外壁面に取り付けられるか又はタンク内部に配置されて、前記温度調整回路の凝縮器又は蒸発器の機能を果たしてタンク内の液体を加熱又は冷却を行うように設けられ、
前記タンクを加熱する際には、前記蒸発器が外部熱源から吸熱するように設けられることにより、前記温度調整回路がヒートポンプ回路を構成するように設けられ、
前記タンク内の液体温度を測定する液温センサが設けられ、
前記制御装置は、
前記目標温度が、予め設定された第１の閾値未満であり、且つ前記目標温度と温度調整前の液体温度との温度差が予め設定された第2の閾値未満の場合には、低液温過小負荷状態であると判断し、
前記目標温度が、予め設定された第1の閾値未満であり、且つ前記目標温度と温度調整前の液体温度との温度差が予め設定された第2の閾値以上の場合には、低液温高負荷状態であると判断し、
前記目標温度が、予め設定された第１の閾値以上の場合には、高液温状態であると判断し、
低液温過小負荷状態の場合と、低液温高負荷状態の場合と、高液温状態とではそれぞれ異なる制御方法を実行することを特徴とする液体温度調整装置。
【請求項２】
前記制御装置は、
低液温過小負荷状態の場合には、前記温度調整回路の圧縮機を最大出力に対して８０％〜１００％の出力にしてタンク内の液体を急速加熱し、タンク内の液体温度が目標温度以上になったときに前記四方弁を切り換えてタンク内の液体を冷却して目標温度とし、その後は圧縮機の回転数を制御してタンク内の液体が目標温度に維持されるように制御し、
低液温高負荷状態の場合には、圧縮機の回転数を制御してタンク内の液体を冷却しつつ液体が目標温度に維持されるように制御し、
高液温状態の場合には、前記温度調整回路の圧縮機を最大出力に対して８０％〜１００％の出力にしてタンク内の液体を急速加熱し、タンク内の液体温度が目標温度以上になったときに、圧縮機の回転数を制御してタンク内の液体が目標温度に維持されるように制御することを特徴とする請求項１記載の液体温度調整装置。
【請求項３】
前記第1の閾値は４０℃であり、前記第2の閾値は２０℃であることを特徴とする請求項１または請求項２記載の液体温度調整装置。
【請求項４】
前記タンクの水平方向のほぼ中央に設けられた第１温度センサと、
前記凝縮器の下流側に配設されている流通管に設けられた第２温度センサとを具備し、
前記制御装置は、
前記第１温度センサと前記第２温度センサにおいて測定された温度の平均温度を算出し、算出された平均温度と前記液温センサで測定された温度が一致するように前記圧縮機の回転数を制御して、液体の温度を目標温度に維持させることを特徴とする請求項１〜請求項３のうちのいずれか１項記載の液体温度調整装置。
【請求項５】
前記タンク内を加熱する場合におけるタンクに設けられた流通管の上流側には、圧縮機からタンク方向へ流入する熱媒体の温度を測定する第３温度センサを具備し、
前記制御装置は、
前記第３温度センサで測定された温度が予め設定された閾値を越えた場合には、前記圧縮機の回転数を下げるように制御することを特徴とする請求項４記載の液体温度調整装置。
【発明の詳細な説明】
【技術分野】
【０００１】
本発明は、液体を加熱して所定の温度とする液体温度調整装置に関する。
【背景技術】
【０００２】
タンク内に貯留させた液体の温度を調整する装置としては、図５に示すような構成のものが知られている。
この温度調整装置１０では、冷却水が流通する冷却用蛇管１１と、電気ヒータ１２とを液体が貯留される容器１３内に配置し、冷却用蛇管１１と電気ヒータ１２とで液体温度を調整する構成が開示されている（例えば特許文献１参照）。
また、この温度調整装置１０では、液体温度のムラをなくすために撹拌装置１５が設けられている。
【０００３】
また、液体が貯留（または流通）されるタンクの外周に加熱用のヒータを巻き付け、液体を加温する構成も従来より知られている（例えば、特許文献２参照）。
【０００４】
【特許文献１】特開２００１−８２８８５号公報
【特許文献２】特開平９−２８９０７６号公報
【発明の開示】
【発明が解決しようとする課題】
【０００５】
上述したように、従来の液体温度の調整装置では、電気ヒータ等のヒータをタンクの内部またはタンクの外部に配置し、ヒータによって加熱するようにしていた。このため、従来の液体温度調整装置では、電力消費量が膨大となり、ランニングコストがかさんでしまうとともに、省エネルギーの観点からしてもヒータによる加熱は無駄なエネルギー消費であるという課題がある。
【０００６】
特に、液体温度を急速に調整しようとする場合においては、ヒータ加熱では非常に大きな電力を必要とし、通常の電源を用いている場合には目標温度にまで到達させるまで比較的時間がかかってしまう。
【０００７】
そこで、本発明は上記課題を解決すべくなされ、その目的とするところは、ランニングコストの低減を図ることができるとともに、省エネルギーを図りつつ、液体を迅速に目標温度にすることができる液体温度調整装置を提供することにある。
【課題を解決するための手段】
【０００８】
本発明に係る液体温度調整装置によれば、タンク内の液体を加熱して目標温度となるように制御する制御装置が設けられた液体温度調整装置において、熱媒体を圧縮する圧縮機、熱媒体を液体に凝縮させる凝縮器、熱媒体を低圧化させる膨張器および熱媒体を気化させる蒸発器が、内部を熱媒体が流通する流通管によって接続されてなる温度調整回路が設けられ、前記温度調整回路の熱媒体の流通方向を逆転させる四方弁が設けられ、前記流通管の一部が、タンクの外壁面に取り付けられるか又はタンク内部に配置されて、前記温度調整回路の凝縮器又は蒸発器の機能を果たしてタンク内の液体を加熱又は冷却を行うように設けられ、前記タンクを加熱する際には、前記蒸発器が外部熱源から吸熱するように設けられることにより、前記温度調整回路がヒートポンプ回路を構成するように設けられ、前記タンク内の液体温度を測定する液温センサが設けられ、前記制御装置は、前記目標温度が、予め設定された第１の閾値未満であり、且つ前記目標温度と温度調整前の液体温度との温度差が予め設定された第2の閾値未満の場合には、低液温過小負荷状態であると判断し、前記目標温度が、予め設定された第1の閾値未満であり、且つ前記目標温度と温度調整前の液体温度との温度差が予め設定された第2の閾値以上の場合には、低液温高負荷状態であると判断し、前記目標温度が、予め設定された第１の閾値以上の場合には、高液温状態であると判断し、低液温過小負荷状態の場合と、低液温高負荷状態の場合と、高液温状態とではそれぞれ異なる制御方法を実行することを特徴としている。
この構成によれば、ヒータを用いずにヒートポンプで加熱して目標温度へ到達させるので、急速加熱が可能であり、また加熱に際して省エネルギーを図ることができる。また、この構成によれば、従来のようにヒータのオン−オフによる制御ではなく、温度調整回路で四方弁を切り換えることにより、加熱制御にもかかわらず冷却運転を利用して制御することもできる。
【０００９】
また、前記制御装置は、低液温過小負荷状態の場合には、前記温度調整回路の圧縮機を最大出力に対して８０％〜１００％の出力にしてタンク内の液体を急速加熱し、タンク内の液体温度が目標温度以上になったときに前記四方弁を切り換えてタンク内の液体を冷却して目標温度とし、その後は圧縮機の回転数を制御してタンク内の液体が目標温度に維持されるように制御し、低液温高負荷状態の場合には、圧縮機の回転数を制御してタンク内の液体を冷却しつつ液体が目標温度に維持されるように制御し、高液温状態の場合には、前記温度調整回路の圧縮機を最大出力に対して８０％〜１００％の出力にしてタンク内の液体を急速加熱し、タンク内の液体温度が目標温度以上になったときに、圧縮機の回転数を制御してタンク内の液体が目標温度に維持されるように制御することを特徴としてもよい。
この構成によれば、特に低液温過小負荷状態のときには、一旦加熱してから冷却して目標温度にするので極めて迅速に目標温度に到達させることができる。
【００１０】
また、前記第1の閾値は４０℃であり、前記第2の閾値は２０℃であることを特徴としてもよい。
【００１１】
前記タンクの水平方向のほぼ中央に設けられた第１温度センサと、前記凝縮器の下流側に配設されている流通管に設けられた第２温度センサとを具備し、前記制御装置は、前記第１温度センサと前記第２温度センサにおいて測定された温度の平均温度を算出し、算出された平均温度と前記液温センサで測定された温度が一致するように前記圧縮機の回転数を制御して、液体の温度を目標温度に維持させることを特徴としている。
これによれば、目標温度の維持を正確に行うことができる。
【００１２】
さらに、前記タンク内を加熱する場合におけるタンクに設けられた流通管の上流側には、圧縮機からタンク方向へ流入する熱媒体の温度を測定する第３温度センサを具備し、前記制御装置は、前記第３温度センサで測定された温度が予め設定された閾値を越えた場合には、前記圧縮機の回転数を下げるように制御することを特徴としてもよい。
この構成によれば、液体の温度が上昇しすぎることを防止することができる。
【発明の効果】
【００１３】
本発明の液体温度調整装置では、ランニングコストの低減および省エネルギーを図りつつ、液体を急速に目標温度まで加熱させることができる。
【発明を実施するための最良の形態】
【００１４】
以下本発明に係る液体温度調整装置の好適な実施の形態を、図面に基づいて詳細に説明する。
図１は、液体温度調整装置の実施形態の全体構成を示す説明図である。
本実施形態の液体温度調整装置３０は、恒温水を生成するタンク３１と、タンク３１内の恒温水の温度を調整する温度調整回路３２とを備えている。
【００１５】
タンク３１には、恒温水を用いる負荷５０へタンク３１で目標温度に設定された恒温水を流通させるべく負荷５０に接続される恒温水用第１流通管５３と、負荷５０から出た恒温水をポンプ５２を経てタンク３１内に流入させるための恒温水用第２流通管５５とが接続されている。
また、恒温水用第１流通管５３と恒温水用第２流通管５５は、タンク３１を挟んで対向するよう、タンク３１の水平方向の両対向面にそれぞれ取り付けられる。
【００１６】
温度調整回路３２は、熱媒体を圧縮させる圧縮機３４と、圧縮機３４で圧縮された熱媒体を液体に凝縮させる凝縮器３６（４０）と、凝縮器３６で熱放出した熱媒体を断熱膨張させて圧力を下げる膨張器３８と、膨張器３８で圧力低下した熱媒体を気化させて外部から熱を吸熱する蒸発器４０（３６）とが設けられ、各構成は熱媒体を流通させる流通管３３により連結されて構成されている。
【００１７】
また、圧縮機３４の下流側に接続された流通管３３と、上流側に接続された流通管３３の間には、熱媒体の流通方向を逆転させて切り換える四方弁６６が設けられている。
四方弁６６の切り換えによって温度調整回路３２においては加熱と冷却の双方の制御が1つの回路で実行可能となるように設けられている。四方弁６６は、圧縮機３４の上流側の流通管３３が、凝縮器３６の上流側（冷却時には蒸発器３６の下流側）の流通管３３または蒸発器４０の下流側（冷却時には凝縮器４０の上流側）の流通管３３のいずれか一方と接続し、圧縮機３４の下流側の流通管３３が、凝縮器３６の上流側（冷却時には蒸発器３６の下流側）の流通管３３または蒸発器４０の下流側（冷却時には凝縮器４０の上流側）の流通管３３のいずれか他方と接続するように配置されている。そして、圧縮機３４の上流側と下流側の流通管３３の接続先が、上述した場合における一方と他方とが逆に切り替わるように制御される。
【００１８】
タンク３１の加熱時には、圧縮機３４で圧縮された熱媒体は、四方弁６６から凝縮器３６に流通し、凝縮器３６で熱放出した熱媒体を膨張器３８で断熱膨張させて圧力を下げ、膨張器３８で圧力低下した熱媒体を気化させて外部から熱を吸熱する蒸発器４０を通過して、四方弁６６を経て圧縮機３４に戻る。
【００１９】
タンク３１の冷却時には、四方弁６６を切り換え、上述した方向と逆方向に熱媒体を流す。つまり、凝縮器３６が蒸発器として機能し、蒸発器４０が凝縮器として機能する。
まず、圧縮機３４で圧縮された熱媒体は、四方弁６６から凝縮器４０に流通し、ファン４２によって空気に熱放出する。そして、凝縮器４０で熱放出した熱媒体は膨張器３８で断熱膨張させて圧力を下げ、蒸発器３６でタンク３１から熱を吸熱して四方弁６６を経て圧縮機３４に戻る。
【００２０】
なお、図１で凝縮器３６として示されている部位は、圧縮機３４の下流側の流通管３３がタンク３１内部で蛇行して形成されて設けられている。
タンク３１の加熱時においては、凝縮器３６では、圧縮されて高温となった熱媒体とタンク３１内の恒温水との間で熱交換を行い、熱媒体はタンク３１内へ放熱する。このため、タンク３１内の恒温水は加温される。
【００２１】
また、蒸発器４０は、流通管３３の周囲に空気との接触面積を増加させるためのフィンが複数積層されて構成された熱交換器として設けられている。このような蒸発器４０には、ファン４２が設けられ、蒸発器４０のフィンに向けて強制的に送風される。このため、外部熱源である空気との間で熱媒体が熱交換を行い、熱媒体は空気から熱を吸熱する。このように、温度調整回路３２は、タンク３１の加熱時には、蒸発器４０で空気から熱を吸い上げて利用するヒートポンプ回路を採用しており、省エネルギーに寄与することができる。
蒸発器４０で吸熱して気化した熱媒体は、圧縮機３４に戻る。
【００２２】
また、温度調整回路３２には、凝縮器（蒸発器）３６の上流側の流通管３３と蒸発器（凝縮器）４０の下流側の流通管３３を連結する２本のバイパス管４３，４６が配設されている。
これらは、加熱時に用いられるバイパス管４３と、冷却時に用いられるバイパス管４６である。
【００２３】
加熱時に用いられるバイパス管４３の中途部には、リリーフバルブ４４と逆止弁４５が設けられており、通常時はリリーフバルブ４４が閉状態となっているが、圧縮機３４で圧縮した熱媒体が所定の値よりも高圧となってしまった場合には、リリーフバルブ４４を開状態とし、高圧となった熱媒体を圧縮機３４の入力側に逃がすようにしている。
【００２４】
また冷却時に用いるバイパス管４６にもリリーフバルブ４７と逆止弁４８が設けられている。冷却時における通常状態ではリリーフバルブ４７が閉状態となっているが、圧縮機３４で圧縮した熱媒体が所定の値よりも高圧となってしまった場合には、リリーフバルブ４７を開状態とし、高圧となった熱媒体を圧縮機３４の入力側に逃がすようにしている。
【００２５】
続いて、本実施形態の液体温度調整装置３０の制御系について説明する。
タンク３１およびその周辺の４箇所に温度センサ６２，６３，６４，６５が設けられており、各温度センサ６２，６３，６４，６５の検出温度に基づいて制御装置６０が圧縮機３４の回転数の制御、四方弁の切り換えおよび蒸発器４０のファン４２の回転数の制御を行う。
【００２６】
制御装置６０は、ＣＰＵ、メモリ、表示部、入力スイッチ等を備えており、メモリ内に記憶されている制御プログラムをＣＰＵが読み出し、各温度センサ６２，６３，６４，６５からの温度情報に基づいて圧縮機３４、四方弁６６およびファン４２の制御を行うことができる。
【００２７】
タンク３１に接続され、タンク３１内部の恒温水を排出する恒温水用第１流通管には、タンク３１から排出される恒温水の温度を計測する液温センサ６２が設けられており、測定された液温は制御装置６０に入力される。
タンク３１の外壁面には、水平方向のほぼ中央（タンク３１に対する熱媒体の流通方向のほぼ中央）に第１温度センサ６３が取り付けられている。第１温度センサ６３で測定されたタンク外壁面の温度は、制御装置６０に入力される。
【００２８】
凝縮器３６の下流側に位置する流通管３３には、第２温度センサ６４が設けられている。第２温度センサ６４で測定された流通管３３の温度（凝縮器３６で放熱した熱媒体の温度）は制御装置６０に入力される。
また、凝縮器３６の上流側に位置する流通管３３には、第３温度センサ６５が設けられている。第３温度センサ６５で測定された流通管３３の温度（圧縮機３４で圧縮された熱媒体の温度）は、制御装置６０へ入力される。
【００２９】
図２に、目標の目標温度が４０℃未満であり、温度調整前の水の温度が５℃の場合の温度上昇を表すグラフを示す。このグラフでは、例として目標温度が３０℃であり、５℃の水を３０℃にまで上昇させた後、３０℃の温度を維持して恒温水とするところを示している。
【００３０】
図３に、目標の目標温度が４０℃以上であり、温度調整前の恒温水の温度が２０℃の場合の温度上昇を表すグラフを示す。このグラフでは、例として目標温度が６０℃であり２０℃の水を６０℃まで上昇させた後、６０℃の温度を維持して恒温水とするところを示している。
【００３１】
ちなみに液体温度調整装置３０は、目標温度が４０℃以上であるか否かで制御方法が異なってくる。なお、目標温度はユーザーが設定するものであり、ユーザーが図示しない入力スイッチを操作することによって、制御装置６０に目標温度を入力させることができる。目標温度は、制御装置６０内のメモリに記憶される。
【００３２】
本実施形態の液体温度調整装置の制御方法について、図４のフローチャートに基づいて、説明する。
まず、液体温度調整装置の電源がオンになると（ステップＳ１００）、制御装置６０はユーザーが入力した目標温度をメモリから読み出し、この目標温度が、４０℃未満か、４０℃以上かを判断する（ステップＳ１０２）。
【００３３】
以下では、最初に目標温度が４０℃未満である場合についての制御を説明する。
目標温度が４０℃未満である場合、制御装置６０は、次に目標温度と現在のタンク３１内の水の液温との温度差を算出する（ステップＳ１０４）。現在の液温は、液温センサ６２から入力された温度に基づく。
制御装置６０は温度差が２０℃以上か否かを判断する（ステップＳ１０６）。温度差が２０℃以上であれば、制御装置６０は、温度調整回路３２を圧縮機３４が最大出力に対して８０％〜１００％の出力（例えば、通常時２５００〜３５００ｒｐｍに対して５０００〜６０００ｒｐｍ）になるようにしてタンク３１内の水の急速加熱を開始するように制御する（ステップＳ１０８）。
【００３４】
加熱中、制御装置６０は液温を常時チェックしており、液温が目標温度以上になったか否かを判断する（ステップＳ１１０）。そして、制御装置６０は、液温が目標温度となったところで四方弁６６を切り換えるよう、四方弁６６に制御信号を出力する。四方弁６６が切り換わると、タンク３１内の水は冷却する方向に制御される（ステップＳ１１２）。これにより、タンク３１内の水の温度は目標温度に接近する。
【００３５】
その後、制御装置６０は、第１温度センサ６３と第２温度センサ６４において測定された温度の平均温度を算出する（ステップＳ１１４）。そして、制御装置６０は、第１温度センサ６３と第2温度センサ６４の平均温度と、液温センサ６２で測定された現在の水の温度が一致するように圧縮機３４の回転数を制御して、タンク３１内の水の温度を目標温度に維持させ、恒温水を生成する（ステップＳ１１６）。
【００３６】
なお、ステップＳ１０６において、目標温度と現在のタンク３１内の水の液温との温度差が２０℃未満であると判断された場合は、ステップＳ１１２へ移行し、制御装置６０は、温度調整回路３２がタンク３１を冷却するように制御する。
そして、その後はステップＳ１１４へ移行し、制御装置６０のＣＰＵは、第１温度センサ６３と第２温度センサ６４において測定された温度の平均温度を算出する。
さらにステップＳ１１６へ移行して、制御装置６０は、第１温度センサ６３と第2温度センサ６４の平均温度と、液温センサ６２で測定された現在の水の温度が一致するように圧縮機３４の回転数を制御して、タンク３１内の水の温度を目標温度に維持させ、恒温水を生成する。
【００３７】
続いて、目標温度が４０℃以上の場合について説明する。
ステップＳ１０２において、目標温度が４０℃以上であると判断された場合、制御装置６０は、温度調整回路３２を圧縮機３４が最大出力に対して８０％〜１００％の出力になるようにしてタンク３１内の水の急速加熱を開始するように制御する（ステップＳ２００）。
【００３８】
加熱中、制御装置６０は液温を常時チェックしており、液温が目標温度以上となったところで、圧縮機３４の８０％〜１００％の出力による急速加熱を停止し、回転数の制御に移行する（ステップＳ２０２）。
すなわち、制御装置６０は、第１温度センサ６３と第２温度センサ６４において測定された温度の平均温度を算出する（ステップＳ１１４）。そして、制御装置６０は、第１温度センサ６３と第2温度センサ６４の平均温度と、液温センサ６２で測定された現在の水の温度が一致するように圧縮機３４の回転数を制御して、タンク３１内の水の温度を目標温度に維持させ、恒温水を生成する（ステップＳ１１６）。
【００３９】
上述してきたように、目標温度が高い場合には、冷却制御をしなくても外気により自然に液温は低下してくるので四方弁６６を切り換えての冷却制御の必要はなくなる。
一方、目標温度が比較的低い（外気温と同程度）の場合には、液温が低下しにくいので、四方弁６６を切り換えて冷却制御をかけて目標温度を維持する必要がある。
【００４０】
なお、加熱時において、蒸発器４０に接触する空気温度が低い場合、十分な吸熱ができない場合もあるので、制御装置６０はファン４２の回転数を下げるように制御する。さらに、蒸発器４０に接触する空気温度が高い場合、吸熱効率を上げるために、制御装置６０はファン４２の回転数を上げるように制御してもよい。
【００４１】
また、制御装置６０内には、予め第３温度センサ６５で測定される熱媒体の温度の閾値を記憶させておく。そして、タンク３１内の水の温度を上昇させている最中は、制御装置６０は第３温度センサ６５で測定される熱媒体の温度と閾値とを比較している。第３温度センサ６５で測定される熱媒体の温度が閾値を越えたことを制御装置６０が検出した場合、制御装置６０は、圧縮機３４の回転数を下げるように制御する。このような制御が実行されることで、水の温度の急激な上昇による突沸等を避けることができる。また、加熱対象の液体が水以外である場合には、液体の変質等を防止できる。
【００４２】
なお、圧縮機３４の制御は、インバータ制御で実施できると、精密な温度調整および省エネルギーが実施できるので好適である。すなわち、圧縮機３４の回転駆動は、図示しないモータにより行われており、モータの回転制御はインバータ回路６８によって行われるようにするとよい。
【００４３】
上述してきた実施形態ではタンク３１内では水を加熱して恒温水を生成する例について説明したが、加熱対象となる液体は水に限定されることはなく、他の液体であってもよい。例えば、搾乳後の牛乳を一定温度に維持する場合に採用してもよい。
【００４４】
また、上述した実施形態では、タンク３１で生成した恒温水を負荷へ供給する構成について開示したが、タンク３１内に液体を貯留させたおくだけの構成に採用してもよい。
【図面の簡単な説明】
【００４５】
【図１】本発明における液体温度調整装置の実施形態の全体構成を示す説明図である。
【図２】目標の目標温度が４０℃未満である場合の温度上昇グラフを示す説明図である。
【図３】目標の目標温度が４０℃以上である場合の温度上昇グラフを示す説明図である。
【図４】液体温度調整装置の制御方法を示すフローチャートである。
【図５】従来の液体温度調整装置の構成を示す説明図である。
【符号の説明】
【００４６】
３０  液体温度調整装置
３１  タンク
３２  温度調整回路
３３  流通管
３４  圧縮機
３６  凝縮器（蒸発器）
３８  膨張器
４０  蒸発器（凝縮器）
４２  ファン
４３，４６  バイパス管
４４，４７  リリーフバルブ
４５，４８  逆止弁
５０  負荷
５２  ポンプ
５３  恒温水用第１流通管
５５  恒温水用第２流通管
６０  制御装置
６２  液温センサ
６３  第１温度センサ
６４  第２温度センサ
６５  第３温度センサ
６６  四方弁
６８  インバータ回路  
【図１】
2010096394.tif 000003
【図２】
2010096394.tif 000004
【図３】
2010096394.tif 000005
【図４】
2010096394.tif 000006
【図５】
2010096394.tif 000007